(57)【特許請求の範囲】
【請求項１】
デジタル放送信号の品質を測定する測定装置において、上記デジタル放送信号受信用のネットワークインタフェースモジュールと、
上記ネットワークインタフェースモジュールを制御し、位相雑音を測定する場合には、上記デジタル放送信号内の、位相数の最も少ないデジタル位相変調方式で変調された部分の信号のみで同期捕捉させ、Ｃ／Ｎ比を測定する場合には、上記デジタル放送信号内のすべての信号で同期捕捉させる制御部と、
上記ネットワークインタフェースモジュールにおいて発生するビットエラーの数に基づいてビットエラーレートを計算するビットエラーレート計算部と、
上記デジタル放送信号内の、位相数の最も少ないデジタル位相変調方式で変調された部分の信号のみで同期捕捉させた場合に上記ビットエラーレート計算部により計算されたビットエラーレートの値を、位相雑音の値または位相雑音に相関がある値に変換する変換部と、
上記変換部により得られた位相雑音の値または位相雑音に相関がある値を表示するとともに、上記デジタル放送信号内のすべての信号で同期捕捉させた場合に上記ビットエラーレート計算部により計算されたビットエラーレートの値を、Ｃ／Ｎ比として表示する表示装置と、
を備えることを特徴とする測定装置。
【請求項２】
前記制御部は、前記ネットワークインタフェースモジュールを制御し、前記デジタル放送信号におけるＴＭＣＣ信号、フレーム同期信号および位相基準バースト信号のうちの１または複数のみで同期捕捉させることを特徴とする請求項１記載の測定装置。
【請求項３】
前記変換部は、前記ビットエラーレートの値の対数に相関がある値を、前記位相雑音の値または前記位相雑音に相関がある値として、変換することを特徴とする請求項１記載の測定装置。
【請求項４】
前記変換部は、位相雑音とビットエラーレートとの対応関係を表すテーブルを有し、そのテーブルを参照して、前記ビットエラーレート計算部により計算されたビットエラーレートの値から位相雑音の値を特定することを特徴とする請求項１記載の測定装置。
【請求項５】
前記テーブルに含まれる位相雑音とビットエラーレートとの対応関係は、前記デジタル放送信号内の、位相数の最も少ないデジタル変調方式で変調された部分の信号のみで同期捕捉させた場合の位相雑音とビットエラーレートとの対応関係であることを特徴とする請求項４記載の測定装置。
【請求項６】
前記テーブルに含まれる位相雑音とビットエラーレートとの対応関係は、前記デジタル放送信号内のすべての信号で同期捕捉させた場合の位相雑音とビットエラーレートとの対応関係であることを特徴とする請求項４記載の測定装置。
【請求項７】
前記ビットエラーレート計算部により計算されたビットエラーレートの値に基づいて前記デジタル放送信号の位相特性の品質の良否を判定する判定部を備えることを特徴とする請求項１記載の測定装置。
【請求項８】
前記変換部により生成された前記位相雑音の値または前記位相雑音に相関がある値に基づいて前記デジタル放送信号の位相特性の品質の良否を判定する判定部を備えることを特徴とする請求項１記載の測定装置。
【請求項９】
デジタル放送信号の品質を測定する測定方法において、
上記デジタル放送信号受信用のネットワークインタフェースモジュールを制御し、位相雑音を測定する場合には、上記デジタル放送信号内の、位相数の最も少ないデジタル位相変調方式で変調された部分の信号のみで同期捕捉させ、Ｃ／Ｎ比を測定する場合には、上記デジタル放送信号内のすべての信号で同期捕捉させるステップと、
上記ネットワークインタフェースモジュールにおいて発生するビットエラーの数に基づいてビットエラーレートを計算するステップと、
上記デジタル放送信号内の、位相数の最も少ないデジタル位相変調方式で変調された部分の信号のみで同期捕捉させた場合に計算されたビットエラーレートの値を、位相雑音の値または位相雑音に相関がある値に変換するステップと、
上記位相雑音の値または位相雑音に相関がある値を表示するとともに、上記デジタル放送信号内のすべての信号で同期捕捉させた場合に計算されたビットエラーレートの値を、Ｃ／Ｎ比として表示するステップと、
を備えることを特徴とする測定方法。
【発明の詳細な説明】
【０００１】
【発明の属する技術分野】
本発明は、測定装置および測定方法に関する。
【０００２】
【従来の技術】
図８は、人工衛星から衛星デジタル放送チューナまでの信号の伝送経路、および衛星デジタル放送チューナの構成の一例を示すブロック図である。
【０００３】
図８に示すように、受信アンテナ１０２に屋内配線１０３が接続され、衛星デジタル放送チューナ（以下、単に、チューナという）１０１が屋内配線１０３に接続される。そして、人工衛星１０４からの衛星デジタル放送波が受信アンテナ１０２により感受され、デジタル放送信号が、受信アンテナ１０２から屋内配線１０３を介してチューナ１０１へ供給される。チューナ１０１では、ネットワークインタフェースモジュール１１１が、デジタル放送信号を受信し、ＭＰＥＧ−ＴＳ（Moving Picture Experts Group - Transport Stream）データを復調し、デコーダ回路１１２が、ＭＰＥＧ−ＴＳデータからユーザの所望の映像信号を再生する。
【０００４】
衛星デジタル放送では、従来のアナログ放送とは異なり、デジタル変調方式が採用されている。このデジタル変調方式では、伝送される信号が位相変調されるため、ゲイン方向の揺らぎの他、アナログ放送では問題にされなかった位相方向の揺らぎが放送波の受信に影響を及ぼすことがある。この揺らぎは位相雑音と呼ばれる。ゲイン方向の揺らぎは、誤り訂正で検出されるビットエラーの原因となり、Ｃ／Ｎ（Carrier / Noise）比として現れる。
【０００５】
衛星デジタル放送の放送波を受信する場合、人工衛星１０４から受信アンテナ１０２までの電波、受信アンテナ内１０２、および受信アンテナ１０２からチューナ１０１までの屋内配線１０３のそれぞれの経路において、位相雑音が発生することがある。この位相雑音や上述のＣ／Ｎ比の悪化に起因して、チューナ１０１によりデジタル放送信号が正確に受信され復調されない場合がある。
【０００６】
衛星デジタル放送の放送波に発生する位相雑音を測定する従来の測定方法としては、スペクトルアナライザを使用して、変調されていない搬送波信号の周波数スペクトルを観測する方法、ベクトルアナライザなどの専用計測器を使用して、被変調波のコンスタレーションを観測し、コンスタレーションにおける位相方向の揺らぎの大きさに基づいて測定する方法などがある。図９は、位相変調方式による被変調波のコンスタレーションの一例を示す図である。なお、図９に示すコンスタレーションは、位相数が８である８ＰＳＫのコンスタレーションの一例である。
【０００７】
【発明が解決しようとする課題】
しかしながら、スペクトルアナライザを使用して、変調されていない搬送波信号の周波数スペクトルを観測しても、デジタル変調された信号の位相雑音を測定することは困難である。また、ベクトルアナライザなどの専用計測器を使用して、被変調波のコンスタレーションを観測し、コンスタレーションにおける位相方向の揺らぎの大きさに基づいて測定する方法もあるが、ベクトルライザなどの専用計測器は高価であるとともに、作業員などがコンスタレーションを見て位相雑音を測定するため、作業員ごとに判定のばらつきが生じ、定量的に受信信号の良否を判断することが困難である。
【０００８】
本発明は、上記の問題に鑑みてなされたものであり、安価でかつ定量的に、位相雑音量を測定することができる測定装置および測定方法を得ることを目的とする。
【０００９】
【課題を解決するための手段】
上記の課題を解決するために、本発明の測定装置は、デジタル放送信号受信用のネットワークインタフェースモジュールと、ネットワークインタフェースモジュールを制御し、位相雑音を測定する場合には、デジタル放送信号内の、位相数の最も少ないデジタル位相変調方式で変調された部分の信号のみで同期捕捉させ、Ｃ／Ｎ比を測定する場合には、デジタル放送信号内のすべての信号で同期捕捉させる制御部と、ネットワークインタフェースモジュールにおいて発生するビットエラーの数に基づいてビットエラーレートを計算するビットエラーレート計算部と、デジタル放送信号内の、位相数の最も少ないデジタル位相変調方式で変調された部分の信号のみで同期捕捉させた場合にビットエラーレート計算部により計算されたビットエラーレートの値を、位相雑音の値または位相雑音に相関がある値に変換する変換部と、変換部により得られた位相雑音の値または位相雑音に相関がある値を表示するとともに、デジタル放送信号内のすべての信号で同期捕捉させた場合にビットエラーレート計算部により計算されたビットエラーレートの値を、Ｃ／Ｎ比として表示する表示装置とを備える。
【００１０】
さらに、本発明の測定装置は、上記発明の測定装置に加え、制御部が、ネットワークインタフェースモジュールを制御し、デジタル放送信号におけるＴＭＣＣ信号、フレーム同期信号および位相基準バースト信号のうちの１または複数のみで同期捕捉させるようにしたものである。
【００１３】
さらに、本発明の測定装置は、上記各発明の測定装置に加え、変換部が、ビットエラーレートの値の対数に相関がある値を、位相雑音の値または位相雑音に相関がある値として、変換するようにしたものである。
【００１４】
さらに、本発明の測定装置は、上記各発明の測定装置に加え、変換部が、位相雑音とビットエラーレートとの対応関係を表すテーブルを有し、そのテーブルを参照して、ビットエラーレート計算部により計算されたビットエラーレートの値から位相雑音の値を特定するようにしたものである。
【００１５】
さらに、本発明の測定装置は、上記各発明の測定装置に加え、位相雑音とビットエラーレートとの対応関係として、デジタル放送信号内の、位相数の最も少ないデジタル変調方式で変調された部分の信号のみで同期捕捉させた場合の位相雑音とビットエラーレートとの対応関係を、変換部のテーブルに含むものである。
【００１６】
さらに、本発明の測定装置は、上記各発明の測定装置に加え、位相雑音とビットエラーレートとの対応関係として、デジタル放送信号内のすべての信号で同期捕捉させた場合の位相雑音とビットエラーレートとの対応関係を、変換部のテーブルに含むものである。
【００１７】
さらに、本発明の測定装置は、上記各発明の測定装置に加え、ビットエラーレート計算部により計算されたビットエラーレートの値に基づいてデジタル放送信号の位相特性の品質の良否を判定する判定部を備える。
【００１８】
さらに、本発明の測定装置は、上記各発明の測定装置に加え、変換部により生成された位相雑音の値または位相雑音に相関がある値に基づいてデジタル放送信号の位相特性の品質の良否を判定する判定部を備える。
【００１９】
本発明の測定方法は、デジタル放送信号受信用のネットワークインタフェースモジュールを制御し、位相雑音を測定する場合には、デジタル放送信号内の、位相数の最も少ないデジタル位相変調方式で変調された部分の信号のみで同期捕捉させ、Ｃ／Ｎ比を測定する場合には、デジタル放送信号内のすべての信号で同期捕捉させるステップと、ネットワークインタフェースモジュールにおいて発生するビットエラーの数に基づいてビットエラーレートを計算するステップと、デジタル放送信号内の、位相数の最も少ないデジタル位相変調方式で変調された部分の信号のみで同期捕捉させた場合に計算されたビットエラーレートの値を、位相雑音の値または位相雑音に相関がある値に変換するステップと、位相雑音の値または位相雑音に相関がある値を表示するとともに、デジタル放送信号内のすべての信号で同期捕捉させた場合に計算されたビットエラーレートの値を、Ｃ／Ｎ比として表示するステップとを備える。
【００２０】
【発明の実施の形態】
以下、図に基づいて本発明の実施の形態を説明する。
【００２１】
実施の形態１．
図１は、本発明の実施の形態１に係る測定装置の構成を示すブロック図である。図１において、ネットワークインタフェースモジュール（以下、ＮＩＭという）１は、デジタル放送信号を受信し、ＭＰＥＧ−ＴＳデータなどのデータストリームを復調する回路モジュールである。
【００２２】
図２は、図１におけるＮＩＭ１の構成例を示すブロック図である。図２において、ＲＦ受信部１１は、放送波を受信しアナログ受信信号を出力する回路である。また、ＩＦフィルタ１２は、特定のチャンネルの信号のみを透過させるフィルタ回路である。また、ＩＱ復調部１３は、位相変調された信号を復調する回路である。また、ＡＤ変換部１４は、復調されたアナログ信号をデジタル信号に変換する回路である。また、デジタル復号部１５は、誤り訂正を行いつつ、エネルギー逆拡散方式などでデータストリームを復号する回路である。また、制御部１６は、ＮＩＭ１内の各種回路を制御する回路である。
【００２３】
図１に戻り、ＢＥＲ計算部２は、ＮＩＭ１において発生するビットエラーの数をカウントし、そのビットエラー数に基づいてビットエラーレートを計算する回路である。
【００２４】
また、位相雑音計算部３は、ＢＥＲ計算部２により計算されたビットエラーレートの値を、位相雑音の値または位相雑音に相関がある値に変換する変換部として機能する回路である。
【００２５】
また、操作部４は、ユーザによる操作を電気信号として出力する、例えばスイッチ類、ダイアルといった電気部品である。
【００２６】
また、表示装置５は、測定結果などを表示する液晶ディスプレイ、その他のインジケータといった表示装置である。
【００２７】
また、制御部６は、本装置内部の各回路を制御する回路である。
【００２８】
なお、この実施の形態１に係る測定装置は、作業員が持ち運び容易な携帯型などとすることができる。
【００２９】
また、例えば、この実施の形態１に係る測定装置には、屋内配線１０３用の接続端子が設けられ、その接続端子を、受信アンテナ１０２に接続された屋内配線１０３に接続することで、この測定装置のＮＩＭ１にデジタル放送信号が供給される。
【００３０】
次に、上記装置の動作について説明する。図３は、実施の形態１に係る測定装置の動作を説明するフローチャートである。
【００３１】
この実施の形態１に係る測定装置は、例えばマンションなどの集合住宅における屋内配線１０３に起因する位相雑音の測定に使用される。その際には、各戸まで、あるいはその途中までの屋内配線１０３にこの測定装置を接続する。
【００３２】
そして、例えば位相雑音の測定のために操作部４に対してユーザによる操作があると、制御部６は、ＮＩＭ１を制御して、ＮＩＭ１の同期捕捉モードを、デジタル放送信号におけるフレーム同期信号、ＴＭＣＣ信号および位相基準バースト信号のみに基づいて同期捕捉を行うモードに設定する（ステップＳ１）。また、その際、制御部６は、ＢＥＲ計算部２に、ビットエラーレートの計算を指示する。この同期捕捉により、フレームやスーパーフレームの先頭などのタイミングが得られる。なお、チューナでＮＩＭ１によりデジタル放送信号を受信、復調する際には、通常、デジタル放送信号におけるすべての信号に基づいて同期捕捉が行われる。
【００３３】
図４は、デジタル放送信号のフレームフォーマットを示す図である。ＢＳデジタル放送信号では、フレーム同期信号６１，６２は、フレーム先頭部分のＴＭＣＣ信号の前後に配されたフレーム同期用の信号である。このフレーム同期信号６１，６２は、ＢＰＳＫ（Binary Phase Shift Keying）で位相変調されている。
【００３４】
また、ＴＭＣＣ（Transmission and Multiplexing Configuration Control）信号６３は、データ信号に使用された変調方式の種別、誤り訂正符号化率、フレームに多重されているＭＰＥＧ−ＴＳのフレーム構成情報や管理情報などを有する信号である。このＴＭＣＣ信号６３は、ＢＰＳＫで位相変調されている。
【００３５】
また、データ信号６４は、映像、音声などのデータを含む主信号である。このデータ信号６４は、ＴＣ８ＰＳＫ（Trellis Coded 8 PSK）、ＱＰＳＫ（Quadrature PSK）およびＢＰＳＫのうちのいずれかの変調方式で位相変調されている。
【００３６】
また、位相基準バースト信号６５は、データ信号６４の復調を安定させるために挿入される信号である。位相基準バースト信号６５は、２０３シンボルのデータ信号６４ごとに４シンボルずつ挿入される。この位相基準バースト信号６５は、ＢＰＳＫで位相変調されている。
【００３７】
すなわち、制御部６は、デジタル放送信号において、位相数の最も少ないデジタル変調方式（ここではＢＰＳＫ、位相数＝２）で変調されている部分の信号でＮＩＭ１に同期捕捉を行わせる。ＮＩＭ１では、ＩＱ復調部１３が、ＢＰＳＫで変調されている信号で同期捕捉を行い、デジタル復号部１５が、誤り訂正を行いつつ、データストリームの復号を行う。ただし、この実施の形態１に係る測定装置では、ＮＩＭ１において復号されたデータストリーム自体は、測定には特に使用されない。
【００３８】
ＢＥＲ計算部２は、ＮＩＭ１のデジタル復号部１５において発生したビットエラーを検出し、その数をカウントしていく（ステップＳ２）。そして、所定の期間において、ビットエラーがゼロであるか否かを判断し（ステップＳ３）、ビットエラーがゼロではない場合には、ＢＥＲ計算部２は、一定期間に発生したエラービット数をその期間での受信ビット数で除算してビットエラーレートを計算する（ステップＳ４）。なお、その期間での受信ビット数は、その期間の長さと信号のデータレートに基づいて計算可能である。
【００３９】
さらに、ビットエラーレートがゼロであるか否かを判断し（ステップＳ５）、ビットエラーレートがゼロではない場合には、ＢＥＲ計算部２は、そのビットエラーレートの値を位相雑音計算部３に供給する。
【００４０】
位相雑音計算部３は、そのビットエラーレートの値を、位相雑音相対値（すなわち、位相雑音に相関がある値）に変換し（ステップＳ６）、その値を制御部６に供給する。すなわち、位相雑音量に応じてビットエラーレートが変化するという現象を利用して、位相雑音計算部３は、ビットエラーレートから位相雑音量に対応する位相雑音相対値を算出する。
【００４１】
なお、位相雑音計算部３は、予め別の測定系で計測されたビットエラーレートと位相雑音との関係に基づいて、供給されたビットエラーレートの値を、位相雑音相対値に変換する。図５は、ビットエラーレートと位相雑音との関係を測定する測定系の一例を示すブロック図である。図５に示す測定系では、信号生成器８１が、デジタル放送信号を模擬した信号を生成し、ノイズ生成器８２が、ホワイトノイズなどのノイズを生成する。そして、合成器８３が、信号生成器８１からの模擬信号とノイズ生成器８２からのノイズとを合成し、合成後の信号をＢＥＲ測定器８４に供給する。このときの模擬信号に対するノイズの強度などに基づいて位相雑音の値が特定される。また、ＢＥＲ測定器８４は、その信号のうちのＢＰＳＫで変調された信号で同期捕捉をして、供給された信号を復調し、復調の際の誤り訂正にて検出されたビットエラーに基づきビットエラーレートを計算する。これにより、位相雑音の値とビットエラーレートの値との対応関係が得られる。
【００４２】
図６は、図５に示す測定系で得られた位相雑音の値とビットエラーレートとの対応関係の一例を示す図である。なお、図６における位相雑音の値は、ビットエラーレートを測定した期間における位相雑音の２乗平均値である。図６からわかるように、位相雑音の値とビットエラーレートとの対応関係は、ほぼ指数関数型（あるいは対数関数型）で表現可能である。
【００４３】
したがって、例えば、位相雑音計算部３は、ＢＥＲ計算部２から供給されたビットエラーレートの値の対数に相関のある値として位相雑音相対値を計算する。
【００４４】
その際、位相雑音計算部３は、ＢＥＲ計算部２から供給されたビットエラーレートの値の対数を位相雑音相対値として計算してもよい。あるいは、計算量を減らすために、位相雑音計算部３は、ＢＥＲ計算部２から供給されたビットエラーレートの値をａ×１０−ｂ（ただし、ａ，ｂは正数）として表した場合に、次式で位相雑音相対値を計算するようにしてもよい。
【００４５】
位相雑音相対値＝１００−（ｂ×１０＋ａ）
【００４６】
このように位相雑音相対値を表現することで、位相雑音が多いときには、位相雑音相対値が１００に近づき、位相雑音が少ないときには、位相雑音相対値が０に近づく。また、位相雑音相対値は、図６に示す関係およびビットエラーレートの対数関数としていることから、位相雑音との間に十分な相関を有する。
【００４７】
あるいは、例えば、位相雑音計算部３が、予め測定されたビットエラーレートと位相雑音値との対応関係を表すテーブルを備え、そのテーブルを参照して、ビットエラーレートから位相雑音値または位相雑音に相関のある値を算出するようにしてもよい。
【００４８】
さらに、上述のような測定系による測定結果や各種理論に基づいてビットエラーレートと位相雑音値との対応関係を示す関係式を導出し、その式に基づいて、位相雑音計算部３が位相雑音値または位相雑音相対値を算出するようにしてもよい。
【００４９】
制御部６は、位相雑音相対値を供給されると、その値を表示装置５に表示させる（ステップＳ７）。
【００５０】
なお、ステップＳ３において、ビットエラーがゼロであったり、ステップＳ５において、ビットエラーがゼロであったりした場合には、制御部６は、それ以降の処理をスキップさせて、その旨を表示装置５に表示させる（ステップＳ７）。
【００５１】
以上のように、上記実施の形態１に係る測定装置は、デジタル放送信号受信用のＮＩＭ１と、ＮＩＭ１を制御し、デジタル放送信号内の、位相数の最も少ないデジタル位相変調方式で変調された部分の信号のみで同期捕捉させる制御部６と、ＮＩＭ１において発生するビットエラーの数に基づいてビットエラーレートを計算するＢＥＲ計算部２とを備える。デジタル放送信号に適用される最も位相数の少ないデジタル位相変調方式では位相間の角度（例えば、ＢＰＳＫでは１８０度）が大きく位相雑音が同期捕捉に与える影響が少ない。そのため、その際のビットエラーレートを計算することで位相雑音がデータ信号６４の復号に与える影響を定量化でき、そのビットエラーレートに相関がある位相雑音量を定量的に測定することができる。また、チューナなどに使用されるＮＩＭ１を利用できるため、装置を安価で実現することができる。
【００５２】
この実施の形態１に係る測定装置を利用することで、位相雑音量が定量的に測定されるため、複数の作業員（ユーザ）間での位相雑音量の判断基準を統一することができる。すなわち、習熟した作業員でも未習熟の作業員でも同様の判断基準を使用することができる。また、複数の場所での測定結果の比較が容易になる。そして、この位相雑音の測定結果は、受信状況の良否判断や、例えば、マンションなどの集合住宅における屋内配線の配置や種類を変更して受信状況を改善するのに利用される。
【００５３】
さらに、上記実施の形態１によれば、制御部６が、ＮＩＭ１を制御し、ＢＳデジタル放送信号におけるＴＭＣＣ信号、フレーム同期信号および位相基準バースト信号のみで同期捕捉させる。なお、ＴＭＣＣ信号、フレーム同期信号および位相基準バースト信号のうちの１種類または２種類の信号のみで同期捕捉させるようにしてもよい。これにより、ＢＳデジタル放送信号の位相雑音量を定量的に測定することができる。
【００５４】
さらに、上記実施の形態１によれば、位相雑音計算部３が、ビットエラーレートの値の対数に相関がある値を、位相雑音の値または位相雑音相対値として、変換する。これにより、位相雑音量がほぼ線形で表現され、作業員が位相雑音量を把握しやすくなる。
【００５５】
さらに、上記実施の形態１によれば、位相雑音計算部３が、位相雑音とビットエラーレートとの対応関係を表すテーブルを有し、そのテーブルを参照して、ビットエラーレート計算部により計算されたビットエラーレートの値から位相雑音の値を特定することが可能である。その場合、位相雑音量をより正確に測定できる。
【００５６】
実施の形態２．
本発明の実施の形態２に係る測定装置は、実施の形態１に係る測定装置に加え、ＮＩＭ１において、デジタル放送信号内のすべての信号で同期捕捉させ、その際のビットエラーレートからＣ／Ｎ比を測定可能としたものである。
【００５７】
この実施の形態２に係る測定装置では、制御部６は、例えばＣ／Ｎ比の測定のために操作部４に対してユーザにより所定の操作があると、ＮＩＭ１の同期捕捉モードを、デジタル放送信号におけるすべての信号に基づいて同期捕捉を行うモードに設定する。また、その際、制御部６は、ＢＥＲ計算部２に、ビットエラーレートの計算を指示する。
【００５８】
そして、ＢＥＲ計算部２は、一定期間におけるビットエラーレートを計算すると、そのビットエラーレートを制御部６に供給する。制御部６は、そのビットエラーレートを、Ｃ／Ｎ比として、表示装置５に表示させる。
【００５９】
一方、例えば位相雑音の測定のために操作部４に対してユーザにより所定の操作があると、制御部６は、実施の形態１の場合と同様にして、ＮＩＭ１およびＢＥＲ計算部２を制御するとともに、位相雑音計算部３からの位相雑音相対値を表示装置５に表示させる。
【００６０】
以上のように、上記実施の形態２によれば、制御部６が、ＮＩＭ１を制御し、位相雑音の値を測定する場合には、デジタル放送信号内の、位相数の最も少ないデジタル位相変調方式で変調された部分の信号のみで同期捕捉させ、Ｃ／Ｎ比の値を測定する場合には、デジタル放送信号内のすべての信号で同期捕捉させる。これにより、安価にかつ定量的に、１台の測定装置でＣ／Ｎ比と位相雑音の両方を測定できる。
【００６１】
例えば、受信状況が悪いときに、まず、Ｃ／Ｎ比が測定され、Ｃ／Ｎ比が良好である場合には、位相雑音が測定されたりする。これにより、受信状況の悪化の原因をより特定しやすくなる。また、この測定装置が、Ｃ／Ｎ比と位相雑音量を自動的に連続して測定し、両者の測定結果を表示装置５に表示するようにしてもよい。
【００６２】
実施の形態３．
本発明の実施の形態３に係る測定装置は、チューナに内蔵され、チューナに内蔵されたＮＩＭ１を利用して、実施の形態１や実施の形態２と同様に、位相雑音やＣ／Ｎを測定可能にしたものである。
【００６３】
図７は、本発明の実施の形態３に係る測定装置の構成を示すブロック図である。図７において、デコーダ回路２１は、ＮＩＭ１から出力されるＭＰＥＧ−ＴＳなどのデータストリームを供給され、そのデータストリームからユーザの所望の映像信号を再生する回路である。また、制御部２２は、本装置内部の各回路を制御する回路である。すなわち、制御部２２は、チューナとしてのＮＩＭ１およびデコーダ回路２１を制御するとともに、実施の形態１の場合と同様にして他の内部回路も制御する。
【００６４】
なお、図７におけるその他の構成要素については、実施の形態１におけるものと同様であるので、その説明を省略する。
【００６５】
実施の形態３に係る測定装置は、通常時には、チューナとして機能し、映像信号を出力する。そして、操作部４に対して所定の操作がなされると、制御部２２が、実施の形態１，２の制御部６と同様に動作して、位相雑音相対値やＣ／Ｎ比の値を測定し、表示装置５に表示させる。
【００６６】
なお、上述の各実施の形態は、本発明の好適な例であるが、本発明は、これらに限定されるものではなく、本発明の要旨を逸脱しない範囲において、種々の変形、変更が可能である。
【００６７】
例えば、上記各実施の形態において、制御部６，２２が、ビットエラーレートまたは位相雑音相対値（あるいは位相雑音値）に基づいてデジタル放送信号の位相特性の品質の良否を判定する判定部として機能するようにしてもよい。その場合、制御部６，２２は、ビットエラーレートまたは位相雑音相対値（あるいは位相雑音値）と所定の閾値とを比較し、その比較結果に基づいて判定を行う。また、制御部６，２２は、その判定結果を、表示装置５に表示させる。
【００６８】
なお、上記各実施の形態において、位相雑音計算部３が、ビットエラーレートと位相雑音値との対応関係を表すテーブルを参照して、ビットエラーレートから位相雑音値または位相雑音相対値を算出する場合、そのテーブルには、デジタル放送信号において最も位相点の少ないデジタル変調方式（上記各実施の形態ではＢＰＳＫ）で変調された信号（つまり、ＢＳデジタル放送信号では、ＴＭＣＣ信号、フレーム同期信号および位相基準バースト信号）で同期捕捉させた場合の位相雑音とビットエラーレートとの対応関係が記録されている。
【００６９】
さらに、そのテーブル（第１のテーブル）とは別の第２のテーブルを用意し、その第２のテーブルには、デジタル放送信号内のすべての信号で同期捕捉させた場合の位相雑音とビットエラーレートとの対応関係を予め記録しておき、位相雑音計算部３が、設定に応じて、第１のテーブルおよび第２のテーブルのいずれかを使用して位相雑音値を算出したり、第１のテーブルおよび第２のテーブルの両方を使用して２つの位相雑音値を算出したりするようにしてもよい。
【００７０】
なお、上記各実施の形態では、デジタル放送信号の一例として、ＢＳデジタル放送信号を示したが、ＣＳデジタル放送信号、その他、地上波デジタル放送などにも本発明を適用可能である。
【００７１】
【発明の効果】
本発明によれば、安価でかつ定量的に、位相雑音量を測定することができる。
【図面の簡単な説明】
【図１】  本発明の実施の形態１に係る測定装置の構成を示すブロック図である。
【図２】  図１におけるＮＩＭの構成例を示すブロック図である。
【図３】  実施の形態１に係る測定装置の動作を説明するフローチャートである。
【図４】  デジタル放送信号のフレームフォーマットを示す図である。
【図５】  ビットエラーレートと位相雑音との関係を測定する測定系の一例を示すブロック図である。
【図６】  図５に示す測定系で得られた位相雑音の値とビットエラーレートとの対応関係の一例を示す図である。
【図７】  本発明の実施の形態３に係る測定装置の構成を示すブロック図である。
【図８】  人工衛星から衛星デジタル放送チューナまでの信号の伝送経路、および衛星デジタル放送チューナの構成の一例を示すブロック図である。
【図９】  位相変調方式による被変調波のコンスタレーションの一例を示す図である。
【符号の説明】
１  ネットワークインタフェースモジュール
２  ＢＥＲ計算部
３  位相雑音計算部（変換部）
６，２２  制御部
６１，６２  フレーム同期信号
６３  ＴＭＣＣ信号
６４  データ信号
６５  位相基準バースト信号
【図１】
0003886118.tif 000002
【図２】
0003886118.tif 000003
【図３】
0003886118.tif 000004
【図４】
0003886118.tif 000005
【図５】
0003886118.tif 000006
【図６】
0003886118.tif 000007
【図７】
0003886118.tif 000008
【図８】
0003886118.tif 000009
【図９】
0003886118.tif 000010